(57)【特許請求の範囲】
【請求項１】
空気調和機（１００）の室外機（２００）内に配置されるクロスフィン式のフィンアンドチューブ型熱交換器であって、
積層された複数のフィンを含むフィン群（４１０）と、
第１扁平管（４２１）および第２扁平管（４２２）を含む扁平管群（４２０）と、
前記フィンの長手方向（Ｙ）に沿って延びる筒状の冷媒ヘッダではない接続部であって、前記第１扁平管および前記第２扁平管の一方の端部（４２１ａ、４２２ａ）に接続され、冷媒を合流若しくは分流させる第１接続部（４３０）と、
前記冷媒ヘッダではない接続部であって、前記第１扁平管および前記第２扁平管の他方の端部（４２１ｆ、４２２ｆ）に接続され、冷媒を分流若しくは合流させる第２接続部（４４０）と、
を備え、
前記フィンは、前記フィンの前記長手方向に沿って前記第１扁平管及び前記第２扁平管の双方を覆い、
前記第１扁平管は、
前記複数のフィンと接合された、少なくとも１つの第１往路部（４２１ｂ）と、
前記第１往路部に続き、かつ、前記フィン群の外側に位置する、少なくとも１つの第１折り返し部（４２１ｃ）と、
前記第１折り返し部に続き、かつ、前記複数のフィンと接合された、少なくとも１つの第１復路部（４２１ｄ）と、を有し、
前記第２扁平管は、
前記複数のフィンと接合された、少なくとも１つの第２往路部（４２２ｂ）と、
前記第２往路部に続き、かつ、前記第１折り返し部の外側に位置する、少なくとも１つの第２折り返し部（４２２ｃ）と、
前記第２折り返し部に続き、かつ、前記複数のフィンと接合された、少なくとも１つの第２復路部（４２２ｄ）と、を有し、
前記第１扁平管および前記第２扁平管の前記一方の端部又は前記他方の端部は、前記フィンに沿って前記フィンの前記長手方向に延びて、前記第１接続部又は前記第２接続部に接続される、
熱交換器。
【請求項２】
前記第１往路部および前記第１復路部は、前記第２往路部と前記第２復路部の間に配置されている、
請求項１に記載の熱交換器。
【請求項３】
前記第１扁平管は、前記第１往路部、前記第１折り返し部、および前記第１復路部の組を複数有し、
前記第２扁平管は、前記第２往路部、前記第２折り返し部、および前記第２復路部の組を複数有する、
請求項１または請求項２に記載の熱交換器。
【請求項４】
一つの前記第２折り返し部が、全ての前記第１折り返し部を跨ぐように配置されている、
請求項３に記載の熱交換器。
【請求項５】
前記扁平管群は、第３扁平管（４２３）をさらに含み、
前記第３扁平管は、
前記複数のフィンと接合された第３往路部（４２３ｂ）と、
前記第３往路部に続き、かつ、前記フィン群の外側に位置する第３折り返し部（４２３ｃ）と、
前記第３折り返し部に続き、かつ、前記複数のフィンと接合された第３復路部（４２３ｄ）と、を有し、
前記第３往路部は、前記第２往路部を挟んで前記第１往路部とは反対側に位置し、
前記第３折り返し部は、前記第２折り返し部の外側に位置し、
前記第３復路部は、前記第２復路部を挟んで前記第１復路部とは反対側に位置する、
請求項１または請求項２に記載の熱交換器。
【発明の詳細な説明】
【技術分野】
【０００１】
本発明は、熱交換器に関する。
【背景技術】
【０００２】
平行で且つ鉛直方向に設置された一対の冷媒ヘッダと、一対の冷媒ヘッダの間に設けられた複数の扁平管と、隣り合う扁平管の間に設けられた複数のフィンとを備える熱交換器が知られている（特許文献１（特開２０１４−０９５５２４号公報）参照）。
【発明の概要】
【発明が解決しようとする課題】
【０００３】
この種の熱交換器は一対の冷媒ヘッダを必要とするので、熱交換器の小型化が困難である。
【０００４】
本発明の課題は、小型の熱交換器を提供することである。
【課題を解決するための手段】
【０００５】
本発明の第１観点に係る熱交換器は、空気調和機の室外機内に配置されるクロスフィン式のフィンアンドチューブ型熱交換器であって、フィン群と扁平管群と第１接続部と第２接続部とを備える。フィン群は、積層された複数のフィンを含む。扁平管群は、第１扁平管および第２扁平管を含む。第１接続部は、フィンの長手方向に沿って延びる筒状の冷媒ヘッダに代えて、第１扁平管および第２扁平管の一方の端部に接続され、冷媒を合流若しくは分流させる。第２接続部は、冷媒ヘッダに代えて、第１扁平管および第２扁平管の他方の端部に接続され、冷媒を分流若しくは合流させる。フィンは、フィンの長手方向に沿って第１扁平管及び第２扁平管の双方を覆う。第１扁平管は、少なくとも１つの第１往路部と、少なくとも１つの第１折り返し部と、少なくとも１つの第１復路部とを有する。第１往路部は、複数のフィンと接合されている。第１折り返し部は、第１往路部に続き、かつ、フィン群の外側に位置する。第１復路部は、第１折り返し部に続き、かつ、複数のフィンと接合されている。第２扁平管は、少なくとも１つの第２往路部と、少なくとも１つの第２折り返し部と、少なくとも１つの第２復路部とを有する。第２往路部は、複数のフィンと接合されている。第２折り返し部は、第２往路部に続き、かつ、第１折り返し部の外側に位置する。第２復路部は、第２折り返し部に続き、かつ、複数のフィンと接合されている。第１扁平管および第２扁平管の一方の端部又は他方の端部は、フィンの長手方向に沿って延びて第１接続部又は第２接続部に接続される。
【０００６】
本発明の第１観点に係る熱交換器では、第１扁平管および第２扁平管を曲げることによって冷媒の流路が形成されているので、冷媒ヘッダを備えなくてもよい。したがって、熱交換器を小型化することができる。また、第１扁平管および第２扁平管の設計の自由度を向上させることができる。
【０００７】
本発明の第２観点に係る熱交換器においては、第１往路部および第１復路部は、第２往路部と第２復路部の間に配置されている。
【０００８】
したがって、本発明の第２観点に係る熱交換器では、第１扁平管と第２扁平管が互いに交差することなく、並列状態を保つことができる。
【０００９】
本発明の第３観点に係る熱交換器においては、第１扁平管は、第１往路部、第１折り返し部、および第１復路部の組を複数有し、第２扁平管は、第２往路部、第２折り返し部、および第２復路部の組を複数有する。
【００１０】
すなわち、本発明の第３観点に係る熱交換器では、第１扁平管および第２扁平管は、並列状態を保ちつつ蛇行している。したがって、第１扁平管と第２扁平管が互いに異なる領域で個別に蛇行している場合に比べて、第１扁平管と第２扁平管の鉛直方向の差を小さくすることができる。これにより、冷媒の流量のばらつきを抑制することが期待できる。
【００１１】
本発明の第４観点に係る熱交換器においては、一つの第２折り返し部が、全ての第１折り返し部を跨ぐように配置されている。
【００１２】
したがって、本発明の第４観点に係る熱交換器では、複数の第２折り返し部のそれぞれが対応する１つの第１折り返し部を跨ぐように配置されている場合に比べて、第１折り返し部および第２折り返し部のそれぞれの全長を短縮することができる。
【００１３】
本発明の第５観点に係る熱交換器においては、扁平管群は、第３扁平管をさらに含む。第３扁平管は、第３往路部と、第３折り返し部と、第３復路部とを有する。第３往路部は、複数のフィンと接合されている。第３往路部は、第２往路部を挟んで第１往路部とは反対側に位置する。第３折り返し部は、第３往路部に続き、かつ、フィン群の外側に位置する。第３折り返し部は、第２折り返し部の外側に位置する。第３復路部は、第３折り返し部に続き、かつ、複数のフィンと接合されている。第３復路部は、第２復路部を挟んで第１復路部とは反対側に位置する。
【００１４】
したがって、本発明の第５観点に係る熱交換器では、第１扁平管と第２扁平管と第３扁平管とが互いに交差することなく、並列状態を保つことができる。
【発明の効果】
【００１５】
本発明の第１観点に係る熱交換器では、第１扁平管および第２扁平管を曲げることによって冷媒の流路が形成されているので、冷媒ヘッダを備えなくてもよい。したがって、熱交換器を小型化することができる。
【００１６】
本発明の第２観点に係る熱交換器では、第１扁平管と第２扁平管が互いに交差することなく、並列状態を保つことができる。
【００１７】
本発明の第３観点に係る熱交換器では、第１扁平管と第２扁平管が互いに異なる領域で個別に蛇行している場合に比べて、第１扁平管と第２扁平管の鉛直方向の差を小さくすることができる。これにより、冷媒の流量のばらつきを抑制することが期待できる。
【００１８】
本発明の第４観点に係る熱交換器では、複数の第２折り返し部のそれぞれが対応する１つの第１折り返し部を跨ぐように配置されている場合に比べて、第１折り返し部および第２折り返し部のそれぞれの全長を短縮することができる。
【００１９】
本発明の第５観点に係る熱交換器では、第１扁平管と第２扁平管と第３扁平管とが互いに交差することなく、並列状態を保つことができる。
【図面の簡単な説明】
【００２０】
【図１】室外熱交換器を備える空気調和機の構成を説明する図である。
【図２】室外熱交換器の一例を示す外観斜視図である。
【図３】図２の室外熱交換器の平面図である。
【図４】室外熱交換器の他の例を示す平面図である。
【図５】室外熱交換器のさらに他の例を示す平面図である。
【発明を実施するための形態】
【００２１】
本発明の実施形態を以下に示す。なお、以下の実施形態は、具体例に過ぎず、特許請求の範囲に係る発明を限定するものではない。
【００２２】
＜第１実施形態＞
（１）空気調和機
（１−１）空気調和機の概略構成
図１は、本発明の一実施形態に係る熱交換器の一例としての室外熱交換器４００を備える空気調和機１００の構成を説明する図である。空気調和機１００は、熱源側ユニットとしての空調室外機２００と、利用側ユニットとしての空調室内機３００とを含む。空調室外機２００と空調室内機３００は、液冷媒の冷媒連絡配管１０１およびガス冷媒の冷媒連絡配管１０２を介して、互いに接続されている。
【００２３】
空気調和機１００の冷媒回路は、空調室外機２００、空調室内機３００、冷媒連絡配管１０１、および冷媒連絡配管１０２によって、構成されている。より詳細には、冷媒回路は、膨張弁２０３、圧縮機２０４、四路切換弁２０５、アキュムレータ２０６、室内熱交換器３０１および室外熱交換器４００を含む。
【００２４】
（１−２）空気調和機の詳細構成
（１−２−１）空調室内機
空調室内機３００は、室内熱交換器３０１と、室内ファン３０２とを有する。室内熱交換器３０１は、例えば、伝熱管と多数のフィンとにより構成されたクロスフィン式のフィンアンドチューブ型熱交換器である。室内熱交換器３０１は、冷房運転時に冷媒の蒸発器として機能して室内空気を冷却し、暖房運転時に冷媒の凝縮器として機能して室内空気を加熱する。
【００２５】
（１−２−２）空調室外機
空調室外機２００は、ガス冷媒配管２０１と、液冷媒配管２０２と、膨張弁２０３と、圧縮機２０４と、四路切換弁２０５と、アキュムレータ２０６と、室外ファン２０７と、室外熱交換器４００とを有する。ガス冷媒配管２０１の一端は、室外熱交換器４００のガス側端部に接続され、ガス冷媒配管２０１の他端は、四路切換弁２０５に接続されている。液冷媒配管２０２の一端は、室外熱交換器４００の液側端部に接続され、液冷媒配管２０２の他端は、膨張弁２０３に接続されている。
【００２６】
膨張弁２０３は、冷媒を減圧する機構である。膨張弁２０３は、室外熱交換器４００と冷媒連絡配管１０１の間に設けられている。圧縮機２０４は、圧縮機用モータによって駆動される密閉式圧縮機である。
【００２７】
四路切換弁２０５は、冷媒が流れる方向を切り換える機構である。冷房運転時には、図１の四路切換弁２０５の実線に示されるように、四路切換弁２０５は、圧縮機２０４の吐出側の冷媒配管とガス冷媒配管２０１を接続すると共に、アキュムレータ２０６を介して、圧縮機２０４の吸入側の冷媒配管と冷媒連絡配管１０２を接続する。一方、暖房運転時には、図１の四路切換弁２０５の破線に示されるように、四路切換弁２０５は、圧縮機２０４の吐出側の冷媒配管と冷媒連絡配管１０２を接続すると共に、アキュムレータ２０６を介して、圧縮機２０４の吸入側の冷媒配管とガス冷媒配管２０１を接続する。
【００２８】
アキュムレータ２０６は、冷媒を気相と液相に分ける。アキュムレータ２０６は、圧縮機２０４と四路切換弁２０５の間に設けられている。室外ファン２０７は、室外空気を室外熱交換器４００に供給する。
【００２９】
（１−３）空気調和機の動作
（１−３−１）冷房運転
膨張弁２０３の開度は、室内熱交換器３０１の出口（すなわち、室内熱交換器３０１のガス側）における冷媒の過熱度が一定になるように、調整されている。冷房運転時の四路切換弁２０５の接続状態は、既に説明した通りである。
【００３０】
以上のような状態の冷媒回路において、圧縮機２０４から吐出された冷媒は、四路切換弁２０５を通って室外熱交換器４００へ流入し、室外空気へ放熱して凝縮する。室外熱交換器４００から流出された冷媒は、膨張弁２０３を通過するときに膨張する。その後、室内熱交換器３０１へ流入し、室内空気から吸熱して蒸発する。
【００３１】
（１−３−２）暖房運転
膨張弁２０３の開度は、室内熱交換器３０１の出口における冷媒の過冷却度が過冷却度目標値で一定になるように、調節されている。暖房運転時の四路切換弁２０５の接続状態は、既に説明した通りである。
【００３２】
以上のような状態の冷媒回路において、圧縮機２０４から吐出された冷媒は、四路切換弁２０５を通って室内熱交換器３０１へ流入し、室内空気へ放熱して凝縮する。室内熱交換器３０１から流出した冷媒は、膨張弁２０３を通過するときに膨張する。その後、室外熱交換器４００へ流入し、室外空気から吸熱して蒸発する。室外熱交換器４００から流出した冷媒は、四路切換弁２０５を通過後に再び圧縮機２０４へ吸入されて圧縮される。
【００３３】
（２）室外熱交換器
（２−１）全体構成
図２は、室外熱交換器４００の一例を示す外観斜視図である。本明細書では、後述する複数のフィンが積層される方向をＸ軸方向と定義する。それぞれのフィンの長手方向をＹ軸方向と定義する。それぞれのフィンの短手方向をＺ軸方向と定義する。図３は、図２の室外熱交換器４００の平面図である。具体的には、図３は、図２の室外熱交換器４００のＸＹ平面図である。
【００３４】
室外熱交換器４００は、室外空気と冷媒の間で熱交換を行う。室外熱交換器４００は、フィン群４１０と、扁平管群４２０と、第１接続部４３０と、第２接続部４４０とを含む。フィン群４１０および扁平管群４２０は、アルミニウム製、またはアルミニウム合金製である。フィン群４１０と扁平管群４２０は、互いにロウで接合されている。
【００３５】
扁平管群４２０は、伝熱管として機能する。冷媒は扁平管群４２０を構成する複数の扁平管のそれぞれの内部を流れ、扁平管群４２０はフィン群４１０と室外空気の間を移動する熱を冷媒に伝達する。本実施形態においては、扁平管群４２０を構成する扁平管の本数は４本である。すなわち、扁平管群４２０は、第１扁平管４２１、第２扁平管４２２、第３扁平管４２３、および第４扁平管４２４からなる。詳しくは後述するが、第１扁平管４２１、第２扁平管４２２、第３扁平管４２３、および第４扁平管４２４は、互いに交差することなく、並列状態を保ったまま蛇行している。
【００３６】
フィン群４１０は、複数のフィンがＸ軸方向に積層されてなる。詳しくは後述するが、フィン群４１０は、Ｙ軸方向においては、第１扁平管４２１、第２扁平管４２２、第３扁平管４２３、および第４扁平管４２４の全てを覆う。一方で、フィン群４１０は、Ｘ軸方向においては、第１扁平管４２１、第２扁平管４２２、第３扁平管４２３、および第４扁平管４２４の全てを覆っているわけではない。
【００３７】
第１接続部４３０の一端は、第１扁平管４２１、第２扁平管４２２、第３扁平管４２３、および第４扁平管４２４のそれぞれに接続されている。第１接続部４３０の他端は、液冷媒配管２０２に接続されている。第１接続部４３０は、冷房運転時に、第１扁平管４２１、第２扁平管４２２、第３扁平管４２３、および第４扁平管４２４のそれぞれの内部を流れる冷媒を合流させる。一方、暖房運転時に、冷媒を、第１扁平管４２１、第２扁平管４２２、第３扁平管４２３、および第４扁平管４２４のそれぞれに分岐させる。
【００３８】
第２接続部４４０の一端は、第１扁平管４２１、第２扁平管４２２、第３扁平管４２３、および第４扁平管４２４のそれぞれに接続されている。第２接続部４４０の他端は、ガス冷媒配管２０１に接続されている。第２接続部４４０は、冷房運転時に、冷媒を、第１扁平管４２１、第２扁平管４２２、第３扁平管４２３、および第４扁平管４２４のそれぞれに分岐させる。一方、暖房運転時に、第１扁平管４２１、第２扁平管４２２、第３扁平管４２３、および第４扁平管４２４のそれぞれの内部を流れる冷媒を合流させる。
【００３９】
ここで、第１接続部４３０および第２接続部４４０のそれぞれがフィン群４１０を挟んでＸ軸方向の両側に分かれて位置する場合には、第１接続部４３０および第２接続部４４０を片側に纏める配管が別途必要になる。本実施形態の室外熱交換器４００においては、第１接続部４３０および第２接続部４４０は片側（同側）に位置している。したがって、別途配管を設けなくてもよい。したがって、室外熱交換器４００の構成の複雑化を抑制することができる。
【００４０】
（２−２）詳細構成
（２−２−１）第１扁平管
第１扁平管４２１は、第１一端部４２１ａ、少なくとも１つの第１往路部４２１ｂ、少なくとも１つの第１折り返し部４２１ｃ、少なくとも１つの第１復路部４２１ｄ、少なくとも１つの第１再折り返し部４２１ｅ、および第１他端部４２１ｆを有する。
【００４１】
第１一端部４２１ａは、第１扁平管４２１の一方の端部であり、第１接続部４３０に接続される部分である。
【００４２】
本実施形態においては、第１往路部４２１ｂは、第１往路部４２１ｂ１、第１往路部４２１ｂ２、および第１往路部４２１ｂ３を含む。第１往路部４２１ｂは、Ｘ軸方向に延びており、フィン群４１０と接合されている。すなわち、第１往路部４２１ｂは、伝熱管として機能する部分である。なお、第１往路部４２１ｂ１は、第１一端部４２１ａに続く部分である。
【００４３】
第１折り返し部４２１ｃは、第１往路部４２１ｂに続く部分である。本実施形態においては、第１折り返し部４２１ｃは、第１折り返し部４２１ｃ１、第１折り返し部４２１ｃ２、および第１折り返し部４２１ｃ３を含む。第１折り返し部４２１ｃは、フィン群４１０の外側に位置している。すなわち、フィン群４１０とは接合されていない。
【００４４】
第１復路部４２１ｄは、第１折り返し部４２１ｃに続く部分である。本実施形態においては、第１復路部４２１ｄは、第１復路部４２１ｄ１、第１復路部４２１ｄ２、および第１復路部４２１ｄ３を含む。第１復路部４２１ｄは、Ｘ軸方向に延びており、フィン群４１０と接合されている。すなわち、第１復路部４２１ｄは、伝熱管として機能する部分である。
【００４５】
第１再折り返し部４２１ｅは、第１復路部４２１ｄに続く部分である。本実施形態においては、第１再折り返し部４２１ｅは、第１再折り返し部４２１ｅ１、および第１再折り返し部４２１ｅ２を含む。第１再折り返し部４２１ｅは、フィン群４１０の外側に位置する。すなわち、フィン群４１０とは接合されていない。
【００４６】
第１他端部４２１ｆは、第１扁平管４２１の他方の端部であり、第２接続部４４０に接続される部分である。第１他端部４２１ｆは、第１復路部４２１ｄ３に続く部分である。
【００４７】
第１扁平管４２１は、第１往路部４２１ｂ１によってフィン群４１０と接合され、第１折り返し部４２１ｃ１によって流路の方向を反転させ、第１復路部４２１ｄ１によってフィン群４１０と接合されている。これにより、１往復目の部分が構成されている。第１再折り返し部４２１ｅ１によって流路の方向を再度反転させ、第１往路部４２１ｂ２によってフィン群４１０と接合され、第１折り返し部４２１ｃ２によって流路の方向を反転させ、第１復路部４２１ｄ２によってフィン群４１０と接合されている。これにより、２往復目の部分が構成されている。さらに、第１再折り返し部４２１ｅ２によって流路の方向を再度反転させ、第１往路部４２１ｂ３によってフィン群４１０と接合され、第１折り返し部４２１ｃ３によって流路の方向を反転させ、第１復路部４２１ｄ３によってフィン群４１０と接合されている。これにより、３往復目の部分が構成されている。
【００４８】
以上のように、第１扁平管４２１は、Ｘ軸方向に３往復している。したがって、第１扁平管４２１は、第１往路部４２１ｂ、第１折り返し部４２１ｃ、および第１復路部４２１ｄの組を３つ有している。
【００４９】
（２−２−２）第２扁平管
第２扁平管４２２は、第２一端部４２２ａ、少なくとも１つの第２往路部４２２ｂ、少なくとも１つの第２折り返し部４２２ｃ、少なくとも１つの第２復路部４２２ｄ、少なくとも１つの第２再折り返し部４２２ｅ、および第２他端部４２２ｆを有する。
【００５０】
第２一端部４２２ａは、第２扁平管４２２の一方の端部であり、第１接続部４３０に接続される部分である。
【００５１】
本実施形態においては、第２往路部４２２ｂは、第２往路部４２２ｂ１、第２往路部４２２ｂ２、および第２往路部４２２ｂ３を含む。第２往路部４２２ｂは、Ｘ軸方向に延びており、フィン群４１０と接合されている。すなわち、第２往路部４２２ｂは、伝熱管として機能する部分である。なお、第２往路部４２２ｂ１は、第２一端部４２２ａに続く部分である。
【００５２】
第２折り返し部４２２ｃは、第２往路部４２２ｂに続く部分である。本実施形態においては、第２折り返し部４２２ｃは、第２折り返し部４２２ｃ１、第２折り返し部４２２ｃ２、および第２折り返し部４２２ｃ３を含む。第２折り返し部４２２ｃは、フィン群４１０の外側に位置している。すなわち、フィン群４１０とは接合されていない。
【００５３】
第２復路部４２２ｄは、第２折り返し部４２２ｃに続く部分である。本実施形態においては、第２復路部４２２ｄは、第２復路部４２２ｄ１、第２復路部４２２ｄ２、および第２復路部４２２ｄ３を含む。第２復路部４２２ｄは、Ｘ軸方向に延びており、フィン群４１０と接合されている。すなわち、第２復路部４２２ｄは、伝熱管として機能する部分である。
【００５４】
第２再折り返し部４２２ｅは、第２復路部４２２ｄに続く部分である。本実施形態においては、第２再折り返し部４２２ｅは、第２再折り返し部４２２ｅ１、および第２再折り返し部４２２ｅ２を含む。第２再折り返し部４２２ｅは、フィン群４１０の外側に位置する。すなわち、フィン群４１０とは接合されていない。
【００５５】
第２他端部４２２ｆは、第２扁平管４２２の他方の端部であり、第２接続部４４０に接続される部分である。第２他端部４２２ｆは、第２復路部４２２ｄ３に続く部分である。
【００５６】
第２扁平管４２２は、第２往路部４２２ｂ１によってフィン群４１０と接合され、第２折り返し部４２２ｃ１によって流路の方向を反転させ、第２復路部４２２ｄ１によってフィン群４１０と接合されている。これにより、１往復目の部分が構成されている。第２再折り返し部４２２ｅ１によって流路の方向を再度反転させ、第２往路部４２２ｂ２によってフィン群４１０と接合され、第２折り返し部４２２ｃ２によって流路の方向を反転させ、第２復路部４２２ｄ２によってフィン群４１０と接合されている。これにより、２往復目の部分が構成されている。さらに、第２再折り返し部４２２ｅ２によって流路の方向を再度反転させ、第２往路部４２２ｂ３によってフィン群４１０と接合され、第２折り返し部４２２ｃ３によって流路の方向を反転させ、第２復路部４２２ｄ３によってフィン群４１０と接合されている。これにより、３往復目の部分が構成されている。
【００５７】
以上のように、第２扁平管４２２は、Ｘ軸方向に３往復している。したがって、第２扁平管４２２は、第２往路部４２２ｂ、第２折り返し部４２２ｃ、および第２復路部４２２ｄの組を３つ有している。
【００５８】
（２−２−３）第３扁平管
第３扁平管４２３は、第３一端部４２３ａ、少なくとも１つの第３往路部４２３ｂ、少なくとも１つの第３折り返し部４２３ｃ、少なくとも１つの第３復路部４２３ｄ、少なくとも１つの第３再折り返し部４２３ｅ、および第３他端部４２３ｆを有する。
【００５９】
第３一端部４２３ａは、第３扁平管４２３の一方の端部であり、第１接続部４３０に接続される部分である。
【００６０】
本実施形態においては、第３往路部４２３ｂは、第３往路部４２３ｂ１、第３往路部４２３ｂ２、および第３往路部４２３ｂ３を含む。第３往路部４２３ｂは、Ｘ軸方向に延びており、フィン群４１０と接合されている。すなわち、第３往路部４２３ｂは、伝熱管として機能する部分である。なお、第３往路部４２３ｂ１は、第３一端部４２３ａに続く部分である。
【００６１】
第３折り返し部４２３ｃは、第３往路部４２３ｂに続く部分である。本実施形態においては、第３折り返し部４２３ｃは、第３折り返し部４２３ｃ１、第３折り返し部４２３ｃ２、および第３折り返し部４２３ｃ３を含む。第３折り返し部４２３ｃは、フィン群４１０の外側に位置している。すなわち、フィン群４１０とは接合されていない。
【００６２】
第３復路部４２３ｄは、第３折り返し部４２３ｃに続く部分である。本実施形態においては、第３復路部４２３ｄは、第３復路部４２３ｄ１、第３復路部４２３ｄ２、および第３復路部４２３ｄ３を含む。第３復路部４２３ｄは、Ｘ軸方向に延びており、フィン群４１０と接合されている。すなわち、第３復路部４２３ｄは、伝熱管として機能する部分である。
【００６３】
第３再折り返し部４２３ｅは、第３復路部４２３ｄに続く部分である。本実施形態においては、第３再折り返し部４２３ｅは、第３再折り返し部４２３ｅ１、および第３再折り返し部４２３ｅ２を含む。第３再折り返し部４２３ｅは、フィン群４１０の外側に位置する。すなわち、フィン群４１０とは接合されていない。
【００６４】
第３他端部４２３ｆは、第３扁平管４２３の他方の端部であり、第２接続部４４０に接続される部分である。第３他端部４２３ｆは、第３復路部４２３ｄ３に続く部分である。
【００６５】
第３扁平管４２３は、第３往路部４２３ｂ１によってフィン群４１０と接合され、第３折り返し部４２３ｃ１によって流路の方向を反転させ、第３復路部４２３ｄ１によってフィン群４１０と接合されている。これにより、１往復目の部分が構成されている。第３再折り返し部４２３ｅ１によって流路の方向を再度反転させ、第３往路部４２３ｂ２によってフィン群４１０と接合され、第３折り返し部４２３ｃ２によって流路の方向を反転させ、第３復路部４２３ｄ２によってフィン群４１０と接合されている。これにより、２往復目の部分が構成されている。さらに、第３再折り返し部４２３ｅ２によって流路の方向を再度反転させ、第３往路部４２３ｂ３によってフィン群４１０と接合され、第３折り返し部４２３ｃ３によって流路の方向を反転させ、第３復路部４２３ｄ３によってフィン群４１０と接合されている。これにより、３往復目の部分が構成されている。
【００６６】
以上のように、第３扁平管４２３は、Ｘ軸方向に３往復している。したがって、第３扁平管４２３は、第３往路部４２３ｂ、第３折り返し部４２３ｃ、および第３復路部４２３ｄの組を３つ有している。
【００６７】
（２−２−４）第４扁平管
第４扁平管４２４は、第４一端部４２４ａ、少なくとも１つの第４往路部４２４ｂ、少なくとも１つの第４折り返し部４２４ｃ、少なくとも１つの第４復路部４２４ｄ、少なくとも１つの第４再折り返し部４２４ｅ、および第４他端部４２４ｆを有する。
【００６８】
第４一端部４２４ａは、第４扁平管４２４の一方の端部であり、第１接続部４３０に接続される部分である。
【００６９】
本実施形態においては、第４往路部４２４ｂは、第４往路部４２４ｂ１、第４往路部４２４ｂ２、および第４往路部４２４ｂ３を含む。第４往路部４２４ｂは、Ｘ軸方向に延びており、フィン群４１０と接合されている。すなわち、第４往路部４２４ｂは、伝熱管として機能する部分である。なお、第４往路部４２４ｂ１は、第４一端部４２４ａに続く部分である。
【００７０】
第４折り返し部４２４ｃは、第４往路部４２４ｂに続く部分である。本実施形態においては、第４折り返し部４２４ｃは、第４折り返し部４２４ｃ１、第４折り返し部４２４ｃ２、および第４折り返し部４２４ｃ３を含む。第４折り返し部４２４ｃは、フィン群４１０の外側に位置している。すなわち、フィン群４１０とは接合されていない。
【００７１】
第４復路部４２４ｄは、第４折り返し部４２４ｃに続く部分である。本実施形態においては、第４復路部４２４ｄは、第４復路部４２４ｄ１、第４復路部４２４ｄ２、および第４復路部４２４ｄ３を含む。第４復路部４２４ｄは、Ｘ軸方向に延びており、フィン群４１０と接合されている。すなわち、第４復路部４２４ｄは、伝熱管として機能する部分である。
【００７２】
第４再折り返し部４２４ｅは、第４復路部４２４ｄに続く部分である。本実施形態においては、第４再折り返し部４２４ｅは、第４再折り返し部４２４ｅ１、および第４再折り返し部４２４ｅ２を含む。第４再折り返し部４２４ｅは、フィン群４１０の外側に位置する。すなわち、フィン群４１０とは接合されていない。
【００７３】
第４他端部４２４ｆは、第４扁平管４２４の他方の端部であり、第２接続部４４０に接続される部分である。第４他端部４２４ｆは、第４復路部４２４ｄ３に続く部分である。
【００７４】
第４扁平管４２４は、第４往路部４２４ｂ１によってフィン群４１０と接合され、第４折り返し部４２４ｃ１によって流路の方向を反転させ、第４復路部４２４ｄ１によってフィン群４１０と接合されている。これにより、１往復目の部分が構成されている。第４再折り返し部４２４ｅ１によって流路の方向を再度反転させ、第４往路部４２４ｂ２によってフィン群４１０と接合され、第４折り返し部４２４ｃ２によって流路の方向を反転させ、第４復路部４２４ｄ２によってフィン群４１０と接合されている。これにより、２往復目の部分が構成されている。さらに、第４再折り返し部４２４ｅ２によって流路の方向を再度反転させ、第４往路部４２４ｂ３によってフィン群４１０と接合され、第４折り返し部４２４ｃ３によって流路の方向を反転させ、第４復路部４２４ｄ３によってフィン群４１０と接合されている。これにより、３往復目の部分が構成されている。
【００７５】
以上のように、第４扁平管４２４は、Ｘ軸方向に３往復している。したがって、第４扁平管４２４は、第４往路部４２４ｂ、第４折り返し部４２４ｃ、および第４復路部４２４ｄの組を３つ有している。
【００７６】
（２−２−５）第１扁平管、第２扁平管、第３扁平管、および第４扁平管の位置関係
ここでは、第１扁平管４２１、第２扁平管４２２、第３扁平管４２３、および第４扁平管４２４のうち１往復目の部分を説明する。２往復目の部分、および３往復目の部分についても同様の位置関係が成立する。
【００７７】
第１往路部４２１ｂ１および第１復路部４２１ｄ１は、第２往路部４２２ｂ１と第２復路部４２２ｄ１の間に位置している。第２往路部４２２ｂ１および第２復路部４２２ｄ１は、第３往路部４２３ｂ１と第３復路部４２３ｄ１の間に位置している。第３往路部４２３ｂ１および第３復路部４２３ｄ１は、第４往路部４２４ｂ１と第４復路部４２４ｄ１の間に位置している。第３往路部４２３ｂ１は、第２往路部４２２ｂ１を挟んで第１往路部４２１ｂ１とは反対側に位置している。第３復路部４２３ｄ１は、第２復路部４２２ｄ１を挟んで第１復路部４２１ｄ１とは反対側に位置している。
【００７８】
第２折り返し部４２２ｃ１は、第１折り返し部４２１ｃ１の外側に位置している。すなわち、第２折り返し部４２２ｃ１は、第１折り返し部４２１ｃ１を跨いでいる。第３折り返し部４２３ｃ１は、第２折り返し部４２２ｃ１の外側に位置している。すなわち、第３折り返し部４２３ｃ１は、第２折り返し部４２２ｃ１を跨いでいる。換言すると、第３折り返し部４２３ｃ１は、第１折り返し部４２１ｃ１および第２折り返し部４２２ｃ１の両方を跨いでいる。第４折り返し部４２４ｃ１は、第３折り返し部４２３ｃ１の外側に位置している。すなわち、第４折り返し部４２４ｃ１は、第３折り返し部４２３ｃ１を跨いでいる。換言すると、第４折り返し部４２４ｃ１は、第１折り返し部４２１ｃ１、第２折り返し部４２２ｃ１、および第３折り返し部４２３ｃ１の全てを跨いでいる。
【００７９】
（３）室外熱交換器の特徴
本実施形態の室外熱交換器４００は、フィン群４１０と扁平管群４２０を備える。扁平管群４２０は、第１扁平管４２１、第２扁平管４２２、第３扁平管４２３、および第４扁平管４２４を含む。第１扁平管４２１、第２扁平管４２２、第３扁平管４２３、および第４扁平管４２４を曲げることによって冷媒の流路が形成されているので、冷媒ヘッダを備えなくてもよい。したがって、熱交換器を小型化することができる。また、冷媒ヘッダを備えなくてもよいので、第１扁平管４２１、第２扁平管４２２、第３扁平管４２３、および第４扁平管４２４の設計の自由度を向上させることができる。
【００８０】
本実施形態の室外熱交換器４００においては、第１往路部４２１ｂ１および第１復路部４２１ｄ１は、第２往路部４２２ｂ１と第２復路部４２２ｄ１の間に位置している。第２往路部４２２ｂ１および第２復路部４２２ｄ１は、第３往路部４２３ｂ１と第３復路部４２３ｄ１の間に位置している。第３往路部４２３ｂ１および第３復路部４２３ｄ１は、第４往路部４２４ｂ１と第４復路部４２４ｄ１の間に位置している。第３往路部４２３ｂ１は、第２往路部４２２ｂ１を挟んで第１往路部４２１ｂ１とは反対側に位置している。第３復路部４２３ｄ１は、第２復路部４２２ｄ１を挟んで第１復路部４２１ｄ１とは反対側に位置している。以上のことから、第１扁平管４２１、第２扁平管４２２、第３扁平管４２３、および第４扁平管４２４が互いに交差することなく、並列状態を保つことができる。
【００８１】
本実施形態の室外熱交換器４００においては、第１扁平管４２１は、３つの第１往路部４２１ｂ、３つの第１折り返し部４２１ｃ、および３つの第１復路部４２１ｄを有する。第２扁平管４２２は、３つの第２往路部４２２ｂ、３つの第２折り返し部４２２ｃ、および３つの第２復路部４２２ｄを有する。第３扁平管４２３は、３つの第３往路部４２３ｂ、３つの第３折り返し部４２３ｃ、および３つの第３復路部４２３ｄを有する。第４扁平管４２４は、３つの第４往路部４２４ｂ、３つの第４折り返し部４２４ｃ、および３つの第４復路部４２４ｄを有する。以上のように、第１扁平管４２１、第２扁平管４２２、第３扁平管４２３、および第４扁平管４２４は、並列状態を保ちつつ蛇行している。したがって、第１扁平管４２１、第２扁平管４２２、第３扁平管４２３、および第４扁平管４２４が互いに異なる領域で個別に蛇行している場合に比べて、それぞれの間のＹ軸方向、すなわち鉛直方向の差を小さくすることができる。これにより、冷媒の流量のばらつきを抑制することが期待できる。
【００８２】
＜変形例＞
本発明の実施形態に適用可能な変形例を説明する。なお、以下の各変形例は、矛盾が生じない範囲で他の変形例と組み合わせて適用されてもよい。
【００８３】
（１）変形例Ａ
図４は、室外熱交換器４００の他の例である室外熱交換器４００ａを示す平面図である。第１扁平管４２１、第２扁平管４２２、第３扁平管４２３、および第４扁平管４２４の構成は、（２−２−１）から（２−２−４）で既に説明した通りである。第１扁平管４２１、第２扁平管４２２、第３扁平管４２３、および第４扁平管４２４が互いに交差することなく蛇行している点は、図４の室外熱交換器４００ａと図３の室外熱交換器４００とで共通している。第１扁平管４２１、第２扁平管４２２、第３扁平管４２３、および第４扁平管４２４の位置関係は、図４の室外熱交換器４００ａと図３の室外熱交換器４００とで異なる。
【００８４】
図４の室外熱交換器４００ａにおいては、第１接続部４３０および第２接続部４４０に代えてヘッダ４４５が配置されている。ヘッダ４４５は、液冷媒配管２０２に接続される液側ヘッダ部４４５ａと、ガス冷媒配管２０１に接続されるガス側ヘッダ部４４５ｂと、を含んでいる。液側ヘッダ部４４５ａ内の空間と、ガス側ヘッダ部４４５ｂ内の空間と、は隔離されている、または仕切られている。
【００８５】
室外熱交換器４００ａにおいては、第１一端部４２１ａ、第２一端部４２２ａ、第３一端部４２３ａ、および第４一端部４２４ａが、液側ヘッダ部４４５ａにそれぞれ接続されている。また、第１他端部４２１ｆ、第２他端部４２２ｆ、第３他端部４２３ｆ、および第４他端部４２４ｆは、ガス側ヘッダ部４４５ｂにそれぞれ接続されている。
【００８６】
また、第２折り返し部４２２ｃ１は、第１折り返し部４２１ｃ１、第１折り返し部４２１ｃ２、および第１折り返し部４２１ｃ３を跨ぐように位置している。すなわち、全ての第１折り返し部４２１ｃを跨ぐように位置している。第３折り返し部４２３ｃ１は、第２折り返し部４２２ｃ１、第２折り返し部４２２ｃ２、および第２折り返し部４２２ｃ３を跨ぐように位置している。すなわち、全ての第２折り返し部４２２ｃを跨ぐように位置している。換言すると、全ての第１折り返し部４２１ｃおよび全ての第２折り返し部４２２ｃを跨ぐように位置している。第４折り返し部４２４ｃ１は、第３折り返し部４２３ｃ１、第３折り返し部４２３ｃ２、および第３折り返し部４２３ｃ３を跨ぐように位置している。すなわち、全ての第３折り返し部４２３ｃを跨ぐように位置している。換言すると、全ての第１折り返し部４２１ｃ、全ての第２折り返し部４２２ｃ、および全ての第３折り返し部４２３ｃを跨ぐように位置している。
【００８７】
また、第１再折り返し部４２１ｅ、第２再折り返し部４２２ｅ、第３再折り返し部４２３ｅ、および第４再折り返し部４２４ｅのそれぞれは、他の再折り返し部を跨ぐ構成ではない。したがって、他の再折り返し部を跨がない分だけ、Ｙ軸方向の幅が狭くなっている。第１再折り返し部４２１ｅ、第２再折り返し部４２２ｅ、第３再折り返し部４２３ｅ、および第４再折り返し部４２４ｅの幅が狭くなるので、第１扁平管４２１、第２扁平管４２２、第３扁平管４２３、および第４扁平管４２４のそれぞれの全長における、伝熱管として機能する部分の割合を増加させることができる。また、第１再折り返し部４２１ｅ、第２再折り返し部４２２ｅ、第３再折り返し部４２３ｅ、および第４再折り返し部４２４ｅの幅が狭くなるので、図４における、第１扁平管４２１、第２扁平管４２２、第３扁平管４２３、および第４扁平管４２４のそれぞれの全長を、図１における、第１扁平管４２１、第２扁平管４２２、第３扁平管４２３、および第４扁平管４２４のそれぞれの全長よりも短くすることができる。
【００８８】
室外熱交換器４００ａでは、ヘッダ４４５を有している分、室外熱交換器４００と比較して、コンパクト化を図るうえで制約を受ける。しかし、１対のヘッダが配設される場合と比較した場合、室外熱交換器４００ａによることでコンパクト化を期待できる。
【００８９】
（２）変形例Ｂ
以上の説明では、第１扁平管４２１、第２扁平管４２２、第３扁平管４２３、および第４扁平管４２４のそれぞれは、Ｘ軸方向に３往復する構成であったが、１往復または２往復する構成であってもよい。また、４往復以上する構成であってもよい。
【００９０】
（３）変形例Ｃ
以上の説明では、扁平管群４２０の本数は４本であったが、２本でもよいし、３本でもよい。また、５本以上であってもよい。好ましくは、扁平管群４２０の本数は、２本から６本である。
【００９１】
（４）変形例Ｄ
以上の説明では、室外熱交換器４００のＸＹ平面は平坦であったが、平坦でなくてもよい。例えば、室外熱交換器４００のＸＹ平面に対して折り曲げ加工が施されてもよい。
【００９２】
（５）変形例Ｅ
室外熱交換器４００は、例えば図５に示す室外熱交換器４００ｂのように変形可能である。図５は、室外熱交換器４００ｂを示す平面図である。
【００９３】
室外熱交換器４００ｂにおいては、室外熱交換器４００の第１一端部４２１ａ、第２一端部４２２ａ、第３一端部４２３ａ、および第４一端部４２４ａが、それぞれ第１一端部４２１ａ´、第２一端部４２２ａ´、第３一端部４２３ａ´、および第４一端部４２４ａ´に置き換えられる。
【００９４】
また、室外熱交換器４００ｂにおいては、室外熱交換器４００の第１再折り返し部４２１ｅ１、第２再折り返し部４２２ｅ１、第３再折り返し部４２３ｅ１、および第４再折り返し部４２４ｅ１が、それぞれ第１再折り返し部４２１ｅ１´、第２再折り返し部４２２ｅ１´、第３再折り返し部４２３ｅ１´、および第４再折り返し部４２４ｅ１´に置き換えられる。
【００９５】
また、室外熱交換器４００ｂにおいては、室外熱交換器４００の第１再折り返し部４２１ｅ２、第２再折り返し部４２２ｅ２、第３再折り返し部４２３ｅ２、および第４再折り返し部４２４ｅ２が、それぞれ第１再折り返し部４２１ｅ２´、第２再折り返し部４２２ｅ２´、第３再折り返し部４２３ｅ２´、および第４再折り返し部４２４ｅ２´に置き換えられる。
【００９６】
また、室外熱交換器４００ｂにおいては、室外熱交換器４００の第１他端部４２１ｆ、第２他端部４２２ｆ、第３他端部４２３ｆ、および第４他端部４２４ｆが、それぞれ第１他端部４２１ｆ´、第２他端部４２２ｆ´、第３他端部４２３ｆ´、および第４他端部４２４ｆ´に置き換えられる。
【００９７】
また、室外熱交換器４００ｂにおいては、室外熱交換器４００の第１接続部４３０および第２接続部４４０に代えて、ｙ方向に沿って延びる筒状のヘッダ４５０を有している。ヘッダ４５０は、ガス側出入口においてガス冷媒配管２０１に接続され、液側出入口において液冷媒配管２０２に接続されている。
【００９８】
ヘッダ４５０は、複数の扁平管差込口がｙ方向に並ぶように形成されており、扁平管差込口を介して、第１扁平管４２１（より詳細には、第１一端部４２１ａ´、第１再折り返し部４２１ｅ１´、第１再折り返し部４２１ｅ２´および第１他端部４２１ｆ´）、第２扁平管４２２（より詳細には、第２一端部４２２ａ´、第２再折り返し部４２２ｅ１´、第２再折り返し部４２２ｅ２´および第２他端部４２２ｆ´）、第３扁平管４２３（より詳細には、第３一端部４２３ａ´、第３再折り返し部４２３ｅ１´、第３再折り返し部４２３ｅ２´および第３他端部４２３ｆ´）、および第４扁平管４２４（より詳細には、第４一端部４２４ａ´、第４再折り返し部４２４ｅ１´、第４再折り返し部４２４ｅ２´および第４他端部４２４ｆ´）に個別に接続されている。
【００９９】
ヘッダ４５０は、その内部に、ヘッダ４５０内の空間を仕切る仕切板４５１を複数含んでいる。各仕切板４５１は、ヘッダ４５０内の空間において、ｘ方向に延びている。ヘッダ４５０内の空間は、各仕切板４５１によって、複数の空間（具体的には、第１空間ＳＰ１、第２空間ＳＰ２、第３空間ＳＰ３および第４空間ＳＰ４）に仕切られている。ヘッダ４５０内の空間は、ｙ方向に第１空間ＳＰ１、第２空間ＳＰ２、第３空間ＳＰ３および第４空間ＳＰ４の順に配置されている。
【０１００】
第１空間ＳＰ１は、液冷媒配管２０２を接続される液側出入口と連通している。ヘッダ４５０の第１空間ＳＰ１を形成する部分には、第１一端部４２１ａ´、第２一端部４２２ａ´、第３一端部４２３ａ´、および第４一端部４２４ａ´が接続されており、第１空間ＳＰ１は第１一端部４２１ａ´、第２一端部４２２ａ´、第３一端部４２３ａ´、および第４一端部４２４ａ´内の冷媒流路と連通している。これにより、冷房運転時には、第１一端部４２１ａ´、第２一端部４２２ａ´、第３一端部４２３ａ´、および第４一端部４２４ａ´のそれぞれから液冷媒／気液二相冷媒が第１空間ＳＰへ流出し、第１空間ＳＰ１内の冷媒が液側出入口を介して液冷媒配管２０２へ流出する。また、暖房運転時には、液側出入口を介して液冷媒配管２０２から第１空間ＳＰ１へ液冷媒／気液二相冷媒が流入し、第１空間ＳＰ１内の冷媒が第１一端部４２１ａ´、第２一端部４２２ａ´、第３一端部４２３ａ´、および第４一端部４２４ａ´のそれぞれへ流出する。
【０１０１】
ヘッダ４５０の第２空間ＳＰ２を形成する部分には、第１再折り返し部４２１ｅ１´、第２再折り返し部４２２ｅ１´、第３再折り返し部４２３ｅ１´、および第４再折り返し部４２４ｅ１´が接続されており、第２空間ＳＰ２は、第１再折り返し部４２１ｅ１´、第２再折り返し部４２２ｅ１´、第３再折り返し部４２３ｅ１´、および第４再折り返し部４２４ｅ１´内の冷媒流路と連通している。なお、第１再折り返し部４２１ｅ１´、第２再折り返し部４２２ｅ１´、第３再折り返し部４２３ｅ１´、および第４再折り返し部４２４ｅ１´は、第１再折り返し部４２１ｅ１、第２再折り返し部４２２ｅ１、第３再折り返し部４２３ｅ１、および第４再折り返し部４２４ｅ１とは異なり、一体に構成されておらず、切り離された二本の配管が第２空間ＳＰ２を介して連通することにより構成されている。
【０１０２】
ヘッダ４５０の第３空間ＳＰ３を形成する部分には、第１再折り返し部４２１ｅ２´、第２再折り返し部４２２ｅ２´、第３再折り返し部４２３ｅ２´、および第４再折り返し部４２４ｅ２´が接続されており、第３空間ＳＰ３は、第１再折り返し部４２１ｅ２´、第２再折り返し部４２２ｅ２´、第３再折り返し部４２３ｅ２´、および第４再折り返し部４２４ｅ２´内の冷媒流路と連通している。なお、第１再折り返し部４２１ｅ２´、第２再折り返し部４２２ｅ２´、第３再折り返し部４２３ｅ２´、および第４再折り返し部４２４ｅ２´は、第１再折り返し部４２１ｅ２、第２再折り返し部４２２ｅ２、第３再折り返し部４２３ｅ２、および第４再折り返し部４２４ｅ２とは異なり、一体に構成されておらず、切り離された二本の配管が第３空間ＳＰ３を介して連通することにより構成されている。
【０１０３】
第４空間ＳＰ４は、ガス冷媒配管２０１を接続されるガス側出入口と連通している。ヘッダ４５０の第４空間ＳＰ４を形成する部分には、第１他端部４２１ｆ´、第２他端部４２２ｆ´、第３他端部４２３ｆ´、および第４他端部４２４ｆ´が接続されており、第１空間ＳＰ１は第１他端部４２１ｆ´、第２他端部４２２ｆ´、第３他端部４２３ｆ´、および第４他端部４２４ｆ´内の冷媒流路と連通している。これにより、冷房運転時には、ガス側出入口を介してガス冷媒配管２０１から第４空間ＳＰ４へガス冷媒が流入し、第４空間ＳＰ４内の冷媒が第１他端部４２１ｆ´、第２他端部４２２ｆ´、第３他端部４２３ｆ´、および第４他端部４２４ｆ´のそれぞれへ流出する。また、暖房運転時には、第１他端部４２１ｆ´、第２他端部４２２ｆ´、第３他端部４２３ｆ´、および第４他端部４２４ｆ´のそれぞれからガス冷媒が第４空間ＳＰ４へ流出し、第４空間ＳＰ４内の冷媒がガス側出入口を介してガス冷媒配管２０１へ流出する。
【０１０４】
室外熱交換器４００ｂの他の構成については、室外熱交換器４００と略同一である。室外熱交換器４００ｂによっても、室外熱交換器４００と略同一の作用効果を奏することを期待できる。但し、室外熱交換器４００ｂでは、ヘッダ４５０を有している分、室外熱交換器４００と比較して、コンパクト化を図るうえで制約を受ける。しかし、１対のヘッダが配設される場合と比較した場合、室外熱交換器４００ｂによることでコンパクト化を期待できる。
【０１０５】
以上のように、本発明は実施形態を用いて説明されたが、本発明の技術的範囲は上記の実施形態に記載の範囲に限定されない。多様な変更または改良を上記の実施形態に加えることが可能であることは、当業者に明らかである。その様な変更または改良を加えた形態も本発明の技術的範囲に含まれ得ることは、特許請求の範囲の記載から明らかである。
【符号の説明】
【０１０６】
４００    熱交換器
４１０    フィン群
４２１    第１扁平管
４２２    第２扁平管
４２３    第３扁平管
４２１ｂ  第１往路部
４２１ｃ  第１折り返し部
４２１ｄ  第１復路部
４２２ｂ  第２往路部
４２２ｃ  第２折り返し部
４２２ｄ  第２復路部
４２３ｂ  第３往路部
４２３ｃ  第３折り返し部
４２３ｄ  第３復路部
【先行技術文献】
【特許文献】
【０１０７】
【特許文献１】特開２０１４−０９５５２４号公報
【図１】
0006502904.tif 000002
【図２】
0006502904.tif 000003
【図３】
0006502904.tif 000004
【図４】
0006502904.tif 000005
【図５】
0006502904.tif 000006